(57)【特許請求の範囲】
【請求項１】
空気入口及び空気出口が形成されたクリーナーケースと、前記クリーナーケースの内部に設けられた空気濾過用のフィルタエレメントとを備え、前記空気入口より取り入れられた空気が前記フィルタエレメントを通過して前記空気出口より排出される構成のエアクリーナーであって、
前記クリーナーケースの内面に、前記空気出口と繋がるとともに内部に延びて形成された円筒状の連通管と、
前記フィルタエレメントの空気排出口に取り付けられ、この空気排出口の内周を囲む開口部を有して円筒状に形成され、外端部に前記開口部から前記フィルタエレメントの外部に広がって延びた円錐状のリップ部を有したシール部材と、
前記クリーナーケースの内面に前記連通管を囲んで内方に突出して形成された円筒リング状のリップ部保護部とを備え、
前記フィルタエレメントは、前記シール部材の前記開口部内に前記連通管を嵌入させるようにして前記クリーナーケース内に取り付けられるように構成されており、
前記開口部内に前記連通管を嵌入させたときに、前記シール部材の前記リップ部は前記クリーナーケースの内面における前記連通管と前記リップ保護部との間に押し付けられて外方に広がり、前記リップ部の外周端部が前記リップ部保護部の近くに位置して前記リップ部保護部に囲まれて保護されるように構成されていることを特徴とするエアクリーナー。
【発明の詳細な説明】
【０００１】
【発明の属する技術分野】
本発明は、空気入口より取り入れられた空気を清浄化してエンジン等に供給するエアクリーナーに関する。
【０００２】
【従来の技術】
エアクリーナーは例えば車両用エンジンの吸気系統に備えられており、空気入口より空気を取り入れ、その中の微細なごみや埃等を除去して清浄化した上でエンジン等に供給するようになっている。このようにエアクリーナーが空気の濾過作用を行うことによりシリンダ内には大きなごみが入り込むことがなくなり、シリンダの摩耗の進行が抑えられてエンジンの寿命低下が防止される。
【０００３】
このようなエアクリーナーには通常、空気出口と繋がってクリーナーケースの内部に延びた管部材と、フィルタエレメントの空気排出口に取り付けられてフィルタエレメントがクリーナーケース内に取り付けられた状態で上記管部材が嵌入する開口部を有するシール部材（パッキン）とが備えられている。このシール部材には上記管部材が挿入される開口部よりフィルタエレメントの外部に広がって延びる円錐状のリップ部が設けられており、フィルタエレメントがクリーナーケース内に取り付けられ、管部材がシール部材の開口部内に位置した状態では、このシール部材のリップ部はクリーナーケースの内面に押し付けられて外方に広がって管部材とフィルタエレメントとの間をシールするようになっている。
【０００４】
【発明が解決しようとする課題】
しかしながら、このような従来のエアクリーナーにあっては、フィルタエレメントの清掃時などにおいてフィルタエレメントをクリーナーケースより取り外すと、フィルタエレメントが揺すぶられたときにフィルタエレメントの濾紙やクリーナーケースの内面に付着していたごみや埃等が散乱し、これらごみや埃等が空気排出口よりフィルタエレメント内に入り込んでフィルタエレメントの内部が汚されてしまう場合があった。
【０００５】
本発明はこのような問題に鑑みてなされたものであり、フィルタエレメントをクリーナーケースより取り外した際、フィルタエレメント内がごみや埃等により汚損されにくくした構成のエアクリーナーを提供することを目的としている。
【０００６】
【課題を解決するための手段】
本発明に係るエアクリーナーは、空気入口（例えば、実施形態におけるインレット２４）及び空気出口（例えば、実施形態におけるアウトレット３２）が形成されたクリーナーケースと、クリーナーケースの内部に設けられた空気濾過用のフィルタエレメントとを備え、空気入口より取り入れられた空気がフィルタエレメントを通過して空気出口より排出される構成を有する。そして、前記クリーナーケースの内面に、前記空気出口と繋がるとともに内部に延びて形成された円筒状の連通管と、前記フィルタエレメントの空気排出口に取り付けられ、この空気排出口の内周を囲む開口部を有して円筒状に形成され、外端部に前記開口部から前記フィルタエレメントの外部に広がって延びた円錐状のリップ部を有したシール部材と、前記クリーナーケースの内面に前記連通管を囲んで内方に突出して形成された円筒リング状のリップ部保護部とを備え、前記フィルタエレメントは、前記シール部材の前記開口部内に前記連通管を嵌入させるようにして前記クリーナーケース内に取り付けられるように構成されており、前記開口部内に前記連通管を嵌入させたときに、前記シール部材の前記リップ部は前記クリーナーケースの内面における前記連通管と前記リップ保護部との間に押し付けられて外方に広がり、前記リップ部の外周端部が前記リップ部保護部の近くに位置して前記リップ部保護部に囲まれて保護されるように構成されている。
【０００７】
このエアクリーナーにおいては、フィルタエレメントがクリーナーケース内に取り付けられた状態でクリーナーケースの内面に押し付けられて外方に広がっているシーブ部材のリップ部は、クリーナーケースの内面よりシール部材側に突出して設けられたリング状のリップ部保護部の内方に位置して保護されるようになっている。このため、フィルタエレメントをクリーナーケースより取り外し、フィルタエレメントの濾紙やクリーナーケースの内面に付着したごみや埃等がクリーナーケース内に散乱した場合でも、これらごみや埃等はフィルタエレメントの空気排出口よりフィルタエレメント内に入り込みにくくなり、フィルタエレメントの内部がごみや埃等により汚損される事態を防止することができる。
【０００８】
【発明の実施の形態】
以下、図面を参照して本発明の好ましい実施形態について説明する。図１は本発明に係るエアクリーナーの一実施形態を示す部分断面正面図であり、図２はその部分断面右側面図、図３は部分断面左側面図、図４は部分断面平面図である。また、図５は図１における矢視V−Vより見た断面図、図６は図２における矢視VI−VIより見た断面図、図７は図３における矢視VIIより見たの底面図である。また、図８は本エアクリーナーの分解斜視図である。
【０００９】
図８に示すように、本エアクリーナー１はクリーナーケース１０と、このクリーナーケース１０内に収容保持された円筒状のフィルタエレメント６０と、クリーナーケース１０内に着脱自在に取り付けられて水分離部材としての役割を果たすインレットパイプ７０とを備えて構成される。ここでクリーナーケース１０はケース本体２０と、このケース本体２０の上部に着脱自在に取り付けられる上部カバー３０と、ケース本体２０の下部に着脱自在に取り付けられる下部カバー４０と、ケース本体２０の側部に着脱自在に取り付けられる側部カバー５０とを有して構成されている。
【００１０】
クリーナーケース１０のケース本体２０はその中央部が縦長の円筒形状に形成されており、その内部にはフィルタエレメント６０を収容するための円筒状のエレメント収容空間ＥＳが形成されている（図５及び図６参照）。このエレメント収容空間ＥＳを構成するケース本体２０の上壁２１中央部には円形の上部開口２１ａが形成されており（図８参照）、この上部開口２１ａからは円筒状の連通管２２が下方に延びて設けられている（図５参照）。また、エレメント収容空間ＥＳの正面側には中空の水溜め槽半体２３が形成されており、その右壁２３ａからは空気の入口であるインレット２４が右方水平に突出して延びて設けられている。水溜め槽半体２３の内部壁２３ｂの上部にはエレメント収容空間ＥＳと繋がる空気流入窓２５が開口しており、インレット２４より流入した空気はこの空気流入窓２５からエレメント収容空間ＥＳ内に入り込むようになっている。
【００１１】
エレメントケース１０を構成する側部カバー５０はケース本体２０に形成された上述の水溜め槽半体２３の前方に着脱自在に取り付けられ、この側部カバー５０がケース本体２０に取り付けられた状態では、水溜め槽半体２３と側部カバー５０とにより水溜め槽が形成されてその内部には水溜め空間ＷＳが形作られる（図４，５，６参照）。水溜め槽半体２３の下部には水抜き孔が設けられており、この水抜き孔には水抜き用のアンローダバルブ９１が取り付けられている（図２，７，８参照）。
【００１２】
図９はインレットパイプ７０の斜視図を示している。このインレットパイプ７０の基部７１はほぼ円筒状に形成されて水平方向に延びており、その上下部にはケース本体２０に本インレットパイプ７０を取り付けるための耳部７２，７２が上下に張り出して設けられている。基部７１のケース本体２０側に位置する内面は空気の入口側（インレット２４側）では円筒曲面状に形成されているが、空気の出口側（空気流入窓２５側）ではほぼ平面状に形成されるとともに、空気の出口側に延出して延びた空気案内部７３が設けられている。また、空気案内部７３の下方側には空気の出口側にほぼ水平に突出して延びた水分案内部７４が設けられており、その先端部は先鋭状に形成されている。また、この水分案内部７４の空気案内部７３とは反対側（側部カバー５０側）の付け根部、すなわち空気案内部７３と水分案内部７４との間にはインレット２４側に延びた切り欠き７５が設けられている（図１２も参照）。
【００１３】
ケース本体２０に形成された上記空気流入窓２５の上下位置には、図８に示すようにインレットパイプ７０を取り付けるための上下の突起２６，２６が設けられており、これら突起２６，２６にインレットパイプ７０の上下の耳部７２，７２に形成された孔７２ａ，７２ａを貫通させた上で両突起２６，２６の端部にプッシュナットＮ，Ｎを装着することによりインレットパイプ７０をケース本体２０に取り付けることができる。このように本エアクリーナー１におけるインレットパイプ７０はケース本体２０に対して着脱自在である。
【００１４】
図１０はフィルタエレメント１０の部分断面正面図である。この図に示すように、本エアクリーナー１に用いられるフィルタエレメント６０は多数の孔が形成された円筒殻からなる基部６１の外周に蛇腹状に折り畳んだ不織布からなる濾紙６２を巻き付けるように取り付け、その上端及び下端を円盤状の固定キャップ６３，６４により保持した構成となっている。上方の固定キャップ６３の中央部には基部６１の外周よりもやや大きい内周を有する円孔からなる空気排出口６１ａ（図１１参照）が設けられており、この空気排出口６１ａには上方に向かって外方に開いた円錐状のリップ部６５ａを有する円筒状のシール部材６５が取り付けられている。また、このフィルタエレメント６０の下方に位置する固定キャップ６４の下面側には断面台形リング状のダストカバー設置用部材６６が設けられている。
【００１５】
フィルタエレメント６０は図５及び図８に示すように上方に開口した円筒皿状のダストカバー８０により下部が保持された状態でケース本体２０の下部より挿入取り付けされ、このダストカバー８０を更に下から保持するように上方に開口した円筒皿状の下部カバー４０がケース本体２０の下部に装着される。ダストカバー８０の底面部には断面台形状のリング状溝８１が形成されており、ダストカバー８０がフィルタエレメント６０の下部に取り付けられた状態では、上記フィルタエレメント６０下部のダストカバー設置用部材６６が上方から嵌入するようになっている。また、ダストカバー８０の外周部には外方に張り出して設けられたリング状のガスケット保持部８２が設けられており、このガスケット保持部８２にはリング状のガスケット８３が取り付けられている（図５及び図８参照）。このガスケットはケース本体２０内に取り付けられたときにケース本体２０の内壁に密着してダストカバー８０とケース本体２０内面との間の気密性を保つ働きをする。
【００１６】
下部カバー４０の外周部には揺動自在に取り付けられた３つのクランプ４３，４３，４３が取り付けられており、これらクランプ４３，４３，４３をケース本体２０下部に設けられたクランプ係止部２７に係止することにより下部カバー４０をケース本体２０に固定することができるようになっている。また、下部カバー４０の中央部には上下に貫通した孔が設けられており、この孔にはアンローダバルブ９２が取り付けられている（図５，７，８参照）。
【００１７】
このようにフィルタエレメント６０がエレメント収容空間ＥＳ内に装着されると、ケース本体２０の上壁２１より下方に延びて形成された前述の連通管２２がフィルタエレメント６０の上部に取り付けられたシール部材６５の開口部６５ａより嵌入する。フィルタエレメント６０が完全にケース本体２０内に装着されると、シール部材６５のリップ部６５ｂはケース本体２０の上壁２１に下方から押し付けられて外方に開き、円錐部内の空気が負圧になってリップ部６５ｂがケース本体２０の上壁２１に密着する。これによりフィルタエレメント６０の基部６１と連通管２２との間はシールされた状態となり、フィルタエレメント６０の基部６１内の空気は効率よくアウトレット３２に流れるようになる。図１１はフィルタエレメント６０の装着前後におけるシール部材６５のリップ部６５ｂの状態を示す図であり、（Ａ）はフィルタエレメント６０がケース本体２０に装着されている途中を、（Ｂ）はフィルタエレメント６０がケース本体２０内に装着された後をそれぞれ示している。
【００１８】
また、ケース本体２０の上壁２１下面には図５及び図１１に示すように下方に突出したリング状のリップ部保護部２９が設けられており、上述のようにフィルタエレメント６０がエレメント収容空間ＥＳ内に取り付けられた状態では、外方に開いたシール部材６５のリップ部６５ｂはそのリップ部保護部２９の内方に位置するようになっている。すなわち、フィルタエレメント６０がクリーナーケース１０内に取り付けられた状態では、リップ部保護部２９は外方に広がったシール部材６５のリップ部６５ｂの外周を囲んで位置している。
【００１９】
上部カバー３０はケース本体２０の上部に取り付けられる。この上部カバー３０には箱形形状のボックス部３１と、このボックス部３１の中央部より水平に屈曲して延びて形成された筒状のアウトレット（空気出口）３２とを有しており、上部カバー３０がケース本体２０の上壁２１上面側に形成された上部カバー取付枠２８に取り付けられた状態では、ボックス部３１とケース本体２０の上壁２１との間にレゾネータ空間ＲＳが形成されるようになっている（図５参照）。インレット２４より流入した空気は空気流入窓２５よりエレメント収容空間ＥＳ内に入り、フィルタエレメント６０の外周を回りながら流れる。そして、フィルタエレメント６０の濾紙６２をその外周部より内周部に向かう方向に通過して基部６１の内部空間内に至り、この基部６１の内部空間と連通した連通管２２より上記レゾネータ空間ＲＳ内を経てアウトレット３２から本エアクリーナー１の外部に排出される。アウトレット３２はエンジン（図示せず）の吸気系統に接続されるため、本エアクリーナー１内の空気はエンジンの吸気バルブの開閉により振動するが、上記のように空気の流路の途中にレゾネータ空間ＲＳ、すなわち共鳴空間が位置しているために吸気騒音は減衰し、吸気動作もスムーズに行われるようになる。
【００２０】
また、上述のように、空気流入窓２５よりエレメント収容空間ＥＳ内に入った空気はフィルタエレメント６０の外周を回りながら流れるので、その遠心力により空気中に含まれる大きな埃や小石などが分離される。本エアクリーナー１においては、図６に示すように円筒状のエレメント収容空間ＥＳの中心軸ＡＸ１とこのエレメント収容空間ＥＳ内に保持されたフィルタエレメント６０の中心軸ＡＸ２とは僅かにずれてフィルタエレメント６０の中心軸ＡＸ２はエレメント収容空間ＥＳの中心軸ＡＸ１の後右方（図６では紙面の右下方）に位置しており、エレメント収容空間ＥＳを形成する円筒状のケース本体２０の内壁とフィルタエレメント６０の外面とがなす空気通路の幅は広い部分から狭い部分へ滑らかに変化するようになっているので、インレット２４より流入した空気の速度は徐々に速められてより効果的に小石等を分離できるようになっている。
【００２１】
このように遠心力により分離された小石等はケース本体２０の内壁に沿って下方に落ちていくが、これら小石等を下部カバー４０内に導くため、リング状のガスケット保持部８２の一部には上下に貫通した切り欠き部８４（図６において斜線で示す部分）が設けられている。下部カバー４０の底壁４１の上面側には図６及び図８に示すようにダストカバー８０の底面を支持する３つのダストカバー支持リブ４２，４２，４２が設けられているが、これらダストカバー支持リブ４２，４２，４２はインレット２４から流入した空気がケース本体２０内を回る方向と同一の方向に曲がった羽根形状をしているので、ケース本体２０内を回ることにより空気中より分離され、上記ガスケット保持部８２の切り欠き部８４を通って下部カバー４０まで降りてきた大きな埃や小石等は下部カバー４０の中央に集められる。このようにして下部カバー４０の中央に集められた大きな埃や小石等は前述のクランプ４３，４３，４３による係止を解除して下部カバー４０をケース本体２０より取り外すことにより本エアクリーナー１の外部に排出させることができる。
【００２２】
図１２は図６におけるケース本体２０の空気流入窓２５近傍の拡大図である。この図に示すように、インレットパイプ７０がケース本体２０に取り付けられた状態では、インレットパイプ７０の空気案内部７３はケース本体２０に形成された上述の空気流入窓２５からエレメント収容空間ＥＳ内に入り込むようになっている。これによりインレット２４より流入した空気の一部は空気案内部７３に案内されてエレメント収容空間ＥＳ内に流入するが、インレットパイプ７０の空気案内部７３はその内壁面７３ａの延長面Ｈがフィルタエレメント６０の濾紙６２の外周縁に接する位置に位置しているため、インレットパイプ７０を出た空気はエレメント収容空間ＥＳ内にスムーズに流入する。そして、このようにエレメント収容空間ＥＳ内に流入した空気はフィルタエレメント６０の外周を回りつつ下方へ向けて降下するように流れる。また、インレットパイプ７０がケース本体２０内に取り付けられた状態では、インレットパイプ７０の水分案内部７４もエレメント収容空間ＥＳ内に位置するが、水分案内部７４の先端部及び空気案内部７３と水分案内部７４との間に設けられた上記切り欠き７５はエレメント収容空間ＥＳの外、すなわち水溜め空間ＷＳ内に位置するようになっている。
【００２３】
インレット２４よりケース本体２０内に流入した空気中の水分はインレットパイプ７０の基部内壁（基部７１の内壁）において凝結して水滴となるが、この基部内壁に付着した水滴は自重により基部内壁の底部へ移動するとともに、エレメント収容空間ＥＳに流れる空気により空気の出口側（空気流入窓２５側）に押されて移動するのでインレットパイプ７０に形成された前述の切り欠き７５より水溜め空間ＷＳ内に落下する。また、インレットパイプ７０の水分案内部７４の先端が水溜め空間ＷＳ内に位置していることから、上記切り欠き７５より落下しなかった水分も水分案内部７４を伝ってその先端部から水溜め空間ＷＳ内に落下する。ここで、インレット２４より流入した空気中の水分が凝結し易いようにするため、インレット２４内に格子状の部材（例えばハニカム構造の筒状部材）を挿入取り付けするようにしてもよい。また、インレットパイプ７０の基部内壁において水滴とならなかった空気（水分を含んだ空気）は水分を含まない空気よりも慣性が大きいため、空気流入窓２５よりエレメント収容空間ＥＳ内に流入することなく直進してその多くは水溜め空間ＷＳ内に入ることになる。このように水溜め空間ＷＳ内に蓄積された水分は前述のアンローダバルブ９１を押し上げて水溜め槽半体２３に設けられた水抜き孔を開放することにより本エアクリーナー１の外部に排出させることができる。
【００２４】
上述のように、インレット２４より流入した空気中の水分はインレットパイプ７０において分離されて水溜め空間ＷＳ内に蓄積されるが、全ての水分がインレットパイプ７０において分離されるわけではない。インレットパイプ７０において流入空気より分離されなかった水分はケース本体２０の空気流入窓２５よりエレメント収容空間ＥＳ内に入り込むが、その水分はエレメント収容空間ＥＳ内を回る間にケース本体２０の内壁において凝結して下方に流れ落ちる。このような水分は図５からも分かるようにダストカバー８０のガスケット保持部８２に流れ落ちるが、このガスケット保持部８２に流れ落ちた水分は前述の切り欠き８４部より下部カバー４０内へ流入する。このように下部カバー４０内へ流入した水分は上述のアンローダバルブ９２を押し上げて下部カバー４０中央部の孔を開放することにより本エアクリーナー１の外部に排出させることができる。
【００２５】
また、フィルタエレメント６０の清掃時などフィルタエレメント６０をケース本体２０より取り外す場合には、先ずケース本体２０下部のクランプ係止部２７に引き掛けられたクランプ４３，４３，４３の係止を解除してケース本体２０より下部カバー４０を取り外し、続いてダストカバー８０をフィルタエレメント６０の下部より取り外す。そしてフィルタエレメント６０の下部を手でつかんで斜めに傾け、ケース本体２０の上壁２１に吸着したシール部材６５のリップ部６５ｂを上壁２１より剥がれるようにする。この後フィルタエレメント６０を下方に引き抜いてケース本体２０より取り出せばフィルタエレメント６０をケース本体２０より分離することができる。
【００２６】
このようにフィルタエレメント６０を斜めに傾けてリップ部６５ｂの吸着を剥すようにすると、フィルタエレメント６０全体は揺すぶられて濾紙６２やケース本体２０の上壁２１の下面に付着していたごみや埃等がケース本体２０内で散乱するが、本エアクリーナー１においては前述のように、フィルタエレメント６０がクリーナーケース１０内に取り付けられた状態でクリーナーケース１０の内面（上壁２１の下面）に押し付けられて外方に広がっているリップ部６５ｂは、クリーナーケース１０の内面よりシール部材６５側に突出して設けられたリング状のリップ部保護部２９の内方に位置して保護されるようになっているので、フィルタエレメント６０をクリーナーケース１０より取り外し、フィルタエレメント６０の濾紙６２やクリーナーケース２０の内面に付着したごみや埃等がクリーナーケース１０内に散乱した場合でも、これらごみや埃等はフィルタエレメント６０の空気排出口６１ａよりフィルタエレメント６０内（すなわち基部６１内）に入り込みにくくなり、フィルタエレメント６０の内部がごみや埃等により汚損される事態を防止することができる。
【００２７】
これまで本発明の好ましい実施形態について説明してきたが、本発明の範囲は上述のものに限定されない。例えば、本発明が適用されるエアフィルターの形状は上述の実施形態において示したものに限られず、空気入口（上記実施形態ではインレット２４に相当）及び空気出口（上記実施形態ではアウトレット３２に相当）が形成されたクリーナーケースと、このクリーナーケースの内部に設けられた空気濾過用のフィルタエレメントとを備え、空気入口より取り入れられた空気がフィルタエレメントを通過して空気出口より排出される構成のエアクリーナーであれば本発明の適用が可能である。
【００２８】
【発明の効果】
このように本発明に係るエアクリーナーにおいては、フィルタエレメントがクリーナーケース内に取り付けられた状態でクリーナーケースの内面に押し付けられて外方に広がっているシーブ部材のリップ部は、クリーナーケースの内面よりシール部材側に突出して設けられたリング状のリップ部保護部の内方に位置して保護されるようになっている。このため、フィルタエレメントをクリーナーケースより取り外し、フィルタエレメントの濾紙やクリーナーケースの内面に付着したごみや埃等がクリーナーケース内に散乱した場合でも、これらごみや埃等はフィルタエレメントの空気排出口よりフィルタエレメント内に入り込みにくくなり、フィルタエレメントの内部がごみや埃等により汚損される事態を防止することができる。
【図面の簡単な説明】
【図１】本発明に係るエアクリーナーの一実施形態を示す部分断面正面図である。
【図２】図１に示す本エアクリーナーの部分断面右側面図である。
【図３】図１に示す本エアクリーナーの部分断面左側面図である。
【図４】図１に示す本エアクリーナーの部分断面平面図である。
【図５】図１における矢視V−Vより見た断面図である。
【図６】図２における矢視VI−VIより見た断面図である。
【図７】図３における矢視VIIより見た底面図である。
【図８】本エアクリーナーの分解斜視図である。
【図９】インレットパイプの斜視図である。
【図１０】フィルタエレメントの部分断面正面図である。
【図１１】フィルタエレメントの装着前後におけるシール部材のリップ部の状態を示す図であり、（Ａ）はフィルタエレメントがケース本体に装着されている途中を、（Ｂ）はフィルタエレメントがケース本体内に装着された後をそれぞれ示している。
【図１２】図６におけるケース本体の空気流入窓近傍の拡大図である。
【符号の説明】
１      エアクリーナー
１０    クリーナーケース
２０    ケース本体
２４    インレット
２５    空気流入窓
２９    リップ部保護部
３０    上部カバー
３２    アウトレット
４０    下部カバー
５０    側部カバー
６０    フィルタエレメント
６５    シール部材
６５ａ  開口部
６５ｂ  リップ部
７０    インレットパイプ
８０    ダストカバー
ＥＳ    エレメント収容空間
ＷＳ    水溜め空間
ＲＷ    レゾネータ空間
【図１】
0003946027.tif 000002
【図２】
0003946027.tif 000003
【図３】
0003946027.tif 000004
【図４】
0003946027.tif 000005
【図５】
0003946027.tif 000006
【図６】
0003946027.tif 000007
【図７】
0003946027.tif 000008
【図８】
0003946027.tif 000009
【図９】
0003946027.tif 000010
【図１０】
0003946027.tif 000011
【図１１】
0003946027.tif 000012
【図１２】
0003946027.tif 000013